(57)【要約】【課題】着信メロディが鳴動し、ユーザが当該着信メロディに関連する商品を購入したいときに、自動的に販売サイトに接続することができる携帯情報端末を提供する。【解決手段】携帯情報端末１０は、コンテンツサーバ装置２０にアクセスして着信メロディデータをダウンロードし電話着信イベントに対応付けて着信メロディデータと着信メロディデータに関連する商品を販売する商品販売サーバ装置３０へのＵＲＬを内部に記憶する。そして、電話着信のイベントが発生したときには、イベントに対応する着信メロディデータを読み出して鳴動する。そして、ユーザが通話を終了した後に、着信メロディに関連する商品を購入するか否かを選択する予め記憶している選択メッセージを画面に出力する。ユーザが購入を選択した場合には、着信メロディデータに対応付けられているＵＲＬを読み出し、ＵＲＬが示す商品購入サーバ装置３０内のウェブページに接続する。【選択図】    図１
2005316848.tif 000002
【特許請求の範囲】
【請求項１】
着信イベントに対応付けてコンテンツデータを記憶する記憶部と、前記着信イベントが発生した際に前記着信イベントに対応付けられている前記コンテンツデータを前記記憶部から読み出して出力するコンテンツ出力手段と、を備えた携帯情報端末において、
コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段と、
前記コンテンツ取得手段によって取得した前記コンテンツデータと前記参照情報を前記記憶部に記憶するコンテンツ記憶手段と、
前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段と、
前記ユーザが前記選択メッセージを選択した指示を受けて、前記コンテンツデータに対応する前記参照情報を前記記憶部から読み出し、前記参照情報が示す前記販売サイトへ前記ネットワークを介して接続する接続手段と、
を備えたことを特徴とする携帯情報端末。
【請求項２】
前記着信イベントに対応する前記コンテンツデータとは着信メロディのデータであり、前記所定の確認操作とは通話操作やメール確認操作であり、前記販売サイトとは前記着信メロディに関連する楽曲を含んだ音楽媒体の販売サイトであることを特徴とする請求項１に記載の携帯情報端末。
【請求項３】
前記着信イベントに対応する前記コンテンツデータとは着信動画のデータであり、前記所定の確認操作とは通話操作やメール確認操作であり、前記販売サイトとは前記着信動画に関連する映画を含んだ映像媒体の販売サイトであることを特徴とする請求項１に記載の携帯情報端末。
【請求項４】
コンテンツデータを格納しているコンテンツサーバ装置と、前記コンテンツデータに関連する商品を販売する商品販売サーバ装置と、着信イベント対応に前記コンテンツデータを記憶する着信イベント対応記憶部を備え、着信イベントが発生した時に前記着信イベント対応記憶部から前記着信イベントに対応する前記コンテンツデータを前記着信イベント対応記憶部から読み出して出力する携帯情報端末と、前記携帯情報端末と前記コンテンツサーバ装置と前記商品販売サーバ装置とを収容するネットワークと、を備えた商品販売システムにおいて、
前記コンテンツサーバ装置は、
前記コンテンツデータごとに前記コンテンツデータに関連する商品を販売する前記商品販売サーバ装置内のウェブページへの参照情報をコンテンツデータ記憶部に記憶する第１の記憶手段と、
前記携帯情報端末から前記ネットワークを介してアクセスを受け、要求された前記コンテンツデータ及び前記参照情報を前記コンテンツデータ記憶部から読み出して配信するコンテンツデータ配信手段と、によって構成され、
前記携帯情報端末は、
ユーザの指示を受けて前記コンテンツサーバ装置に前記ネットワークを介してアクセスし、前記コンテンツサーバ装置から前記コンテンツデータと前記参照情報を取得するコンテンツ取得手段と、
前記コンテンツ取得手段によって取得した前記コンテンツデータと前記参照情報を着信イベント対応に前記着信イベント対応記憶部に記憶する第２の記憶手段と、
前記着信イベントが発生して前記着信イベント対応記憶部から前記コンテンツデータが読み出して出力され、ユーザが所定の確認操作を終了した後に、前記コンテンツデータに関連する商品を購入するか否かを選択する選択メッセージを画面に出力するメッセージ出力手段と、
前記ユーザが前記選択メッセージを選択した指示を受けて、前記コンテンツデータに対応する前記参照情報を前記着信イベント対応記憶部から読み出し、前記参照情報が示す前記商品販売サーバ装置のウェブページに接続する接続手段と、によって構成され、
前記商品販売サーバ装置は、
前記携帯情報端末から前記参照情報を含む要求を受信した際に、前記参照情報に対応する前記ウェブページの情報を応答するウェブページ応答手段
によって構成されることを特徴とする商品販売システム。
【請求項５】
コンテンツデータを格納しているコンテンツサーバ装置と、前記コンテンツデータに関連する商品を販売する商品販売サーバ装置と、着信イベント対応に前記コンテンツデータを記憶する着信イベント対応記憶部を備え、着信イベントが発生した時に前記着信イベント対応記憶部から前記着信イベントに対応する前記コンテンツデータを前記着信イベント対応記憶部から読み出し出力する携帯情報端末と、前記携帯情報端末と前記コンテンツサーバ装置と前記商品販売サーバ装置とを収容するネットワークと、を備えた商品販売システムの商品販売方法において、
前記コンテンツサーバ装置が、前記コンテンツデータごとに前記コンテンツデータに関連する商品を販売する前記商品販売サーバ装置内のウェブページへの参照情報をコンテンツデータ記憶部に記憶する過程と、
前記携帯情報端末が、ユーザの指示を受けて前記ネットワークを介して前記コンテンツサーバ装置にアクセスする過程と、
前記コンテンツサーバ装置が、前記携帯情報端末からアクセスを受け、要求された前記コンテンツデータと前記参照情報を前記コンテンツデータ記憶部から読み出して配信する過程と、
前記携帯情報端末が、前記コンテンツサーバ装置から前記コンテンツデータと前記参照情報を取得し前記コンテンツデータと前記参照情報を着信イベント対応に前記着信イベント対応記憶部に記憶する過程と、
前記着信イベントが発生して前記着信イベント対応記憶部から前記コンテンツデータが読み出して出力され、ユーザが所定の確認操作を終了した後に、前記コンテンツデータに関連する商品を購入するか否かを選択する選択メッセージを画面に出力する過程と、
前記携帯情報端末が、前記ユーザが前記選択メッセージを選択した指示を受けて、前記コンテンツデータに対応する前記参照情報を前記着信イベント対応記憶部から読み出し、前記参照情報が示す前記商品販売サーバ装置の前記ウェブページに接続する過程と、
前記商品販売サーバ装置が、前記携帯情報端末から前記参照情報を含む要求を受信した際に、前記参照情報に対応する前記ウェブページの情報を応答する過程と、
からなることを特徴とする商品販売方法。
【請求項６】
着信イベントに対応付けてコンテンツデータを記憶する記憶部と、前記着信イベントが発生した際に前記着信イベントに対応付けられている前記コンテンツデータを前記記憶部から読み出して出力するコンテンツ出力手段と、を備えた携帯情報端末のコンピュータを、
コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段、
前記コンテンツ取得手段によって取得した前記コンテンツデータと前記参照情報を前記記憶部に記憶するコンテンツ記憶手段、
前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段、
前記ユーザが前記選択メッセージを選択した指示を受けて、前記コンテンツデータに対応する前記参照情報を前記記憶部から読み出し、前記参照情報が示す前記販売サイトへ前記ネットワークを介して接続する接続手段、
として機能させることを特徴とするコンピュータプログラム。
【発明の詳細な説明】
【技術分野】
【０００１】
本発明は、オンライン商品購入を行うことができる携帯情報端末、携帯情報端末による商品販売システム及び商品販売方法並びにコンピュータプログラムに関する。
【背景技術】
【０００２】
従来、携帯電話などの携帯情報端末のユーザが好みの楽曲のメロディのデータをサーバ装置から検索してダウンロードし、着信時に当該メロディが鳴動するように設定し、着信時に当該楽曲のメロディを楽しむということは広く行われている。また、それに関連する技術として例えば、特許文献１などが提案されている。
【特許文献１】特開２００３−７６３６４号公報
【発明の開示】
【発明が解決しようとする課題】
【０００３】
従来の技術では、ＣＤ（Ｃｏｍｐａｃｔ  Ｄｉｓｃ）等を購入したいと思ったときに、ユーザ自身が、オンラインで販売している販売サイトをインターネットに接続し検索しなければならなく、手間がかかり、オンラインの販売サイトへユーザを効果的に誘導できなかった。
【０００４】
本発明は、上記課題を解決すべくなされたもので、その目的は、商品をユーザが購入したいときに、ユーザがインターネット上で検索することなく商品を販売するサイトへ容易に接続することを可能とし、ユーザを効果的に販売サイトへ誘導することができる携帯情報端末及び商品販売システムを提供することにある。
【課題を解決するための手段】
【０００５】
本発明は、電話やメールの着信時において、着信メロディや着信画像が出力されるといった時点において、関連する商品をユーザが購入したくなるという傾向を考慮してなされたものであり、本発明の一実施形態は、着信イベントに対応付けてコンテンツデータを記憶する記憶部と、前記着信イベントが発生した際に前記着信イベントに対応付けられている前記コンテンツデータを前記記憶部から読み出して出力するコンテンツ出力手段と、を備えた携帯情報端末において、コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段と、前記コンテンツ取得手段によって取得した前記コンテンツデータと前記参照情報を前記記憶部に記憶するコンテンツ記憶手段と、前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段と、前記ユーザが前記選択メッセージを選択した指示を受けて、前記コンテンツデータに対応する前記参照情報を前記記憶部から読み出し、前記参照情報が示す前記販売サイトへ前記ネットワークを介して接続する接続手段と、を備えたことを特徴とする携帯情報端末である。
【０００６】
上記の発明の一実施形態において、前記着信イベントに対応する前記コンテンツデータとは着信メロディのデータであり、前記所定の確認操作とは通話操作やメール確認操作であり、前記販売サイトとは前記着信メロディに関連する楽曲を含んだ音楽媒体の販売サイトであるとしてもよい。
【０００７】
上記の発明の一実施形態において、前記着信イベントに対応する前記コンテンツデータとは着信動画のデータであり、前記所定の確認操作とは通話操作やメール確認操作であり、前記販売サイトとは前記着信動画に関連する映画を含んだ映像媒体の販売サイトであるとしてもよい。
【０００８】
本発明の一実施形態は、コンテンツデータを格納しているコンテンツサーバ装置と、前記コンテンツデータに関連する商品を販売する商品販売サーバ装置と、着信イベント対応に前記コンテンツデータを記憶する着信イベント対応記憶部を備え、着信イベントが発生した時に前記着信イベント対応記憶部から前記着信イベントに対応する前記コンテンツデータを前記着信イベント対応記憶部から読み出して出力する携帯情報端末と、前記携帯情報端末と前記コンテンツサーバ装置と前記商品販売サーバ装置とを収容するネットワークと、を備えた商品販売システムにおいて、前記コンテンツサーバ装置は、前記コンテンツデータごとに前記コンテンツデータに関連する商品を販売する前記商品販売サーバ装置内のウェブページへの参照情報をコンテンツデータ記憶部に記憶する第１の記憶手段と、前記携帯情報端末から前記ネットワークを介してアクセスを受け、要求された前記コンテンツデータ及び前記参照情報を前記コンテンツデータ記憶部から読み出して配信するコンテンツデータ配信手段と、によって構成され、前記携帯情報端末は、ユーザの指示を受けて前記コンテンツサーバ装置に前記ネットワークを介してアクセスし、前記コンテンツサーバ装置から前記コンテンツデータと前記参照情報を取得するコンテンツ取得手段と、前記コンテンツ取得手段によって取得した前記コンテンツデータと前記参照情報を着信イベント対応に前記着信イベント対応記憶部に記憶する第２の記憶手段と、前記着信イベントが発生して前記着信イベント対応記憶部から前記コンテンツデータが読み出して出力され、ユーザが所定の確認操作を終了した後に、前記コンテンツデータに関連する商品を購入するか否かを選択する選択メッセージを画面に出力するメッセージ出力手段と、前記ユーザが前記選択メッセージを選択した指示を受けて、前記コンテンツデータに対応する前記参照情報を前記着信イベント対応記憶部から読み出し、前記参照情報が示す前記商品販売サーバ装置のウェブページに接続する接続手段と、によって構成され、前記商品販売サーバ装置は、前記携帯情報端末から前記参照情報を含む要求を受信した際に、前記参照情報に対応する前記ウェブページの情報を応答するウェブページ応答手段によって構成されることを特徴とする商品販売システムである。
【０００９】
本発明の一実施形態は、コンテンツデータを格納しているコンテンツサーバ装置と、前記コンテンツデータに関連する商品を販売する商品販売サーバ装置と、着信イベント対応に前記コンテンツデータを記憶する着信イベント対応記憶部を備え、着信イベントが発生した時に前記着信イベント対応記憶部から前記着信イベントに対応する前記コンテンツデータを前記着信イベント対応記憶部から読み出し出力する携帯情報端末と、前記携帯情報端末と前記コンテンツサーバ装置と前記商品販売サーバ装置とを収容するネットワークと、を備えた商品販売システムの商品販売方法において、前記コンテンツサーバ装置が、前記コンテンツデータごとに前記コンテンツデータに関連する商品を販売する前記商品販売サーバ装置内のウェブページへの参照情報をコンテンツデータ記憶部に記憶する過程と、前記携帯情報端末が、ユーザの指示を受けて前記ネットワークを介して前記コンテンツサーバ装置にアクセスする過程と、前記コンテンツサーバ装置が、前記携帯情報端末からアクセスを受け、要求された前記コンテンツデータと前記参照情報を前記コンテンツデータ記憶部から読み出して配信する過程と、前記携帯情報端末が、前記コンテンツサーバ装置から前記コンテンツデータと前記参照情報を取得し前記コンテンツデータと前記参照情報を着信イベント対応に前記着信イベント対応記憶部に記憶する過程と、前記着信イベントが発生して前記着信イベント対応記憶部から前記コンテンツデータが読み出して出力され、ユーザが所定の確認操作を終了した後に、前記コンテンツデータに関連する商品を購入するか否かを選択する選択メッセージを画面に出力する過程と、前記携帯情報端末が、前記ユーザが前記選択メッセージを選択した指示を受けて、前記コンテンツデータに対応する前記参照情報を前記着信イベント対応記憶部から読み出し、前記参照情報が示す前記商品販売サーバ装置の前記ウェブページに接続する過程と、前記商品販売サーバ装置が、前記携帯情報端末から前記参照情報を含む要求を受信した際に、前記参照情報に対応する前記ウェブページの情報を応答する過程と、からなることを特徴とする商品販売方法である。
【００１０】
本発明の一実施形態は、着信イベントに対応付けてコンテンツデータを記憶する記憶部と、前記着信イベントが発生した際に前記着信イベントに対応付けられている前記コンテンツデータを前記記憶部から読み出して出力するコンテンツ出力手段と、を備えた携帯情報端末のコンピュータを、コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段、前記コンテンツ取得手段によって取得した前記コンテンツデータと前記参照情報を前記記憶部に記憶するコンテンツ記憶手段、前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段、前記ユーザが前記選択メッセージを選択した指示を受けて、前記コンテンツデータに対応する前記参照情報を前記記憶部から読み出し、前記参照情報が示す前記販売サイトへ前記ネットワークを介して接続する接続手段、として機能させることを特徴とするコンピュータプログラムである。
【発明の効果】
【００１１】
この発明によれば、携帯情報端末及び商品販売システムは、ユーザが当該商品を購入したいときに、ユーザがインターネット上で検索することなく商品を販売するサイトへ容易に接続することを可能とし、ユーザを効果的に販売サイトへ誘導することができる効果を奏する。
【発明を実施するための最良の形態】
【００１２】
以下、本発明の一実施形態による携帯情報端末及び商品販売システムを図面を参照して説明する。
図１は、この発明の一実施形態による商品販売システムを示す概略ブロック図である。
同図において、携帯情報端末１０は、例えば、ユーザが利用する携帯電話であり、移動体通信事業者の基地局５１と無線で接続し、移動体通信網５０、インターネット４０を介して電話通信やデータ通信を行う。コンテンツサーバ装置２０は、着信メロディデータや動画データなどを記憶しているインターネット４０に接続されたサーバ装置であり、携帯情報端末１０からの要求に従って、着信メロディデータや動画データを送信する。商品販売サーバ装置３０は、着信メロディに対応する楽曲を含む音楽媒体や動画データに対応する映像媒体の商品のオンライン販売を行う。ここで、音楽媒体とはＣＤ（Ｃｏｍｐａｃｔ  Ｄｉｓｃ）、ＭＤ（Ｍｉｎｉ  Ｄｉｓｃ）、テープ等であり、映像媒体とはＤＶＤ（Ｄｉｇｉｔａｌ  Ｖｅｒｓａｔｉｌｅ  Ｄｉｓｃ）やビデオテープ等を意味する。商品販売サーバ装置３０は、携帯情報端末１０からの要求に従って商品を販売する際、移動体通信事業者の決済サーバ装置５２に接続して、携帯情報端末１０のユーザの通話料の料金口座から商品の購入代金の決済処理を行う。
【００１３】
図２は、コンテンツサーバ装置２０が記憶している着信メロディデータ等のコンテンツデータベース２１のデータ構造及び、ユーザの指示を受けて携帯情報端末１０がコンテンツサーバ装置２０からダウンロードして内部に記憶したときのイベント対応データベース１１のデータ構造を示した図である。
コンテンツデータベース２１は、データの種別や、データの長さ等の情報を含むヘッダー情報と当該ヘッダー情報に示されるデータの組み合わせから構成されている。データには着信メロディや動画のデータ以外に商品販売サーバ装置３０が公開しているＵＲＬの情報等がある。
一方、イベント対応データベース１１は、電話着信やメール着信等のイベントに対応付けて、データを記憶する構造となっている。各イベントに対応付けるデータとしては、コンテンツデータベース２１の着信メロディや動画のデータと商品販売サーバ装置３０のＵＲＬのデータがある。イベント対応データベース１１にデータが設定されると、電話着信やメール着信等のイベントが発生した際に、携帯情報端末１０は各イベントに対応するコンテンツデータを読み出し、着信メロディや動画として出力する。
【００１４】
図３は、携帯情報端末１０がユーザの指示を受けて、着信メロディ等のコンテンツデータとＵＲＬをダウンロードして内部に設定し、電話着信やメール着信のイベントが発生した後に、携帯情報端末１０が自動的にＵＲＬを読み出してユーザが商品購入を開始するまでの処理の流れを示したフローチャートである。
最初に、ユーザが好みの着信メロディ等のコンテンツをコンテンツサーバ装置２０にアクセスして検索し、検出したコンテンツをダウンロードしてイベント対応データベース１１に設定する（ステップＳ１）。そして、携帯情報端末１０は電話着信もしくはメール着信等の着信イベントを受信するまで待機する（ステップＳ２）。着信イベントの発生を受信すると、電話着信のイベントかメール着信のイベントかを判定する（ステップＳ３）。電話着信イベントの場合には、イベント対応データベース１１から電話着信イベントに対応するコンテンツデータ、即ち着信メロディデータを読み出して鳴動する（ステップＳ４）。その後、ユーザが着呼ボタンを押下して着呼し、通話を開始する（ステップＳ５）。例えば、ユーザが切断ボタンを押下して、通話が終了すると（ステップＳ６）、「この曲のＣＤを購入しますか？」等の選択メッセージを表示する。着信時に動画データを出力するようにしている場合には、「この映画のＤＶＤを購入しますか？」等の別に設定された選択メッセージを表示する（ステップＳ７）。これらのメッセージにはイベント対応データベース１１から読み出したＵＲＬがリンクされており、当該メッセージをユーザが選択することで自動的にＵＲＬに従って商品販売サーバ装置３０に接続する。
【００１５】
一方、ステップＳ３においてメール着信イベントの場合には、同じくイベント対応データベース１１に記憶しているデータからメール着信に対応するコンテンツデータを読み出し出力する（ステップＳ８）。ユーザがメール着信確認のボタンを押下した場合にはステップＳ７の処理が行われて、画面に上記の選択メニューが表示される。メール着信確認のボタンが押下されない場合はユーザが画面を参照していないと判断して上記のメッセージを表示せずに処理を終了する（ステップＳ９）。
次に、上記のステップＳ７おいて表示されたメッセージをユーザが選択したか否かを判定する（ステップＳ１０）。選択されなかった場合には、一定時間経過後に通常の待ち受け画面に切り替わり処理を終了する（ステップＳ１１）。選択された場合には、メッセージに対応付けられたＵＲＬに従って商品販売サーバ装置３０の該当するウェブページに接続し、商品の購入処理を行う（ステップＳ１２）。
なお、商品販売サーバ装置３０へのＵＲＬは、商品販売サーバ装置３０の上位のウェブページではなく、直接該当する商品を購入するためのウェブページへ接続するため、ユーザは、商品販売サーバ装置３０内で商品を検索することなく、商品購入の手続きをすぐに開始することが可能となる。
この処理によって、ユーザは、着信イベント発生時に出力されたコンテンツを視聴した後に、ユーザが自発的に当該コンテンツを扱うサイト等を検索することなく、表示された選択メッセージを選択するだけで、当該コンテンツに関連する商品を販売するサイトへ接続し、商品をオンライン購入することが可能となる。
【００１６】
図４は、図３で説明したステップＳ６時における画面の一例を示した図である。メッセージＭ１は、電話の通話時間を示したメッセージであり、通常の携帯情報端末においても通話終了時に表示されるメッセージである。メッセージＭ２は、ＣＤの購入をユーザに促すためのメッセージであり、このメッセージをユーザが選択すると、携帯情報端末１０がメッセージに対応付けられているＵＲＬに従って商品販売サーバ装置３０に接続する。
【００１７】
上述の携帯情報端末は内部に、コンピュータシステムを有している。そして、上述した着信メロディ等のコンテンツデータとＵＲＬをダウンロードして内部に設定し、電話着信やメール着信のイベントが発生した後に、ＵＲＬを読み出して商品購入を行う処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００１８】
【図１】本発明の一実施形態における携帯情報端末及び商品販売システムを示すブロック図である。
【図２】同実施形態におけるコンテンツサーバ装置内及び携帯情報端末内のデータ構造を示した図である。
【図３】同実施形態における携帯情報端末の処理を示したフローチャートである。
【図４】同実施形態における携帯情報端末の画面表示を示した図である。
【符号の説明】
【００１９】
１０  携帯情報端末
２０  コンテンツサーバ装置
３０  商品販売サーバ装置
【図１】
2005316848.tif 000003
【図２】
2005316848.tif 000004
【図３】
2005316848.tif 000005
【図４】
2005316848.tif 000006
【手続補正書】
【提出日】平成16年8月6日(2004.8.6)
【手続補正１】
【補正対象書類名】特許請求の範囲
【補正対象項目名】全文
【補正方法】変更
【補正の内容】
【特許請求の範囲】
【請求項１】
着信イベントに対応付けてコンテンツデータを記憶する記憶手段と、前記着信イベントが発生した際に前記着信イベントに対応付けられている前記コンテンツデータを前記記憶手段から読み出して出力するコンテンツ出力手段と、を備えた携帯情報端末において、
コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段と、
前記コンテンツ取得手段によって取得した前記コンテンツデータと前記参照情報を前記記憶手段に設定するコンテンツ設定手段と、
前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段と、
前記ユーザが前記選択メッセージを選択した指示を受けて、前記コンテンツデータに対応する前記参照情報を前記記憶手段から読み出し、前記参照情報が示す前記販売サイトへ前記ネットワークを介して接続する接続手段と、
を備えたことを特徴とする携帯情報端末。
【請求項２】
前記着信イベントに対応する前記コンテンツデータとは着信メロディのデータであり、前記所定の確認操作とは通話操作やメール確認操作であり、前記販売サイトとは前記着信メロディに関連する楽曲を含んだ音楽媒体の販売サイトであることを特徴とする請求項１に記載の携帯情報端末。
【請求項３】
前記着信イベントに対応する前記コンテンツデータとは着信動画のデータであり、前記所定の確認操作とは通話操作やメール確認操作であり、前記販売サイトとは前記着信動画に関連する映画を含んだ映像媒体の販売サイトであることを特徴とする請求項１に記載の携帯情報端末。
【請求項４】
コンテンツデータを格納しているコンテンツサーバ装置と、前記コンテンツデータに関連する商品を販売する商品販売サーバ装置と、着信イベント対応に前記コンテンツデータを記憶する着信イベント対応記憶手段を備え、着信イベントが発生した時に前記着信イベント対応記憶手段から前記着信イベントに対応する前記コンテンツデータを前記着信イベント対応記憶手段から読み出して出力する携帯情報端末と、前記携帯情報端末と前記コンテンツサーバ装置と前記商品販売サーバ装置とを収容するネットワークと、を備えた商品販売システムにおいて、
前記コンテンツサーバ装置は、
前記コンテンツデータごとに前記コンテンツデータに関連する商品を販売する前記商品販売サーバ装置内のウェブページへの参照情報を記憶するコンテンツデータ記憶手段と、
前記携帯情報端末から前記ネットワークを介してアクセスを受け、要求された前記コンテンツデータ及び前記参照情報を前記コンテンツデータ記憶手段から読み出して配信するコンテンツデータ配信手段と、によって構成され、
前記携帯情報端末は、
ユーザの指示を受けて前記コンテンツサーバ装置に前記ネットワークを介してアクセスし、前記コンテンツサーバ装置から前記コンテンツデータと前記参照情報を取得するコンテンツ取得手段と、
前記コンテンツ取得手段によって取得した前記コンテンツデータと前記参照情報を着信イベント対応に前記着信イベント対応記憶手段に設定するコンテンツ設定手段と、
前記着信イベントが発生して前記着信イベント対応記憶手段から前記コンテンツデータが読み出して出力され、ユーザが所定の確認操作を終了した後に、前記コンテンツデータに関連する商品を購入するか否かを選択する選択メッセージを画面に出力するメッセージ出力手段と、
前記ユーザが前記選択メッセージを選択した指示を受けて、前記コンテンツデータに対応する前記参照情報を前記着信イベント対応記憶手段から読み出し、前記参照情報が示す前記商品販売サーバ装置のウェブページに接続する接続手段と、によって構成され、
前記商品販売サーバ装置は、
前記携帯情報端末から前記参照情報を含む要求を受信した際に、前記参照情報に対応する前記ウェブページの情報を応答するウェブページ応答手段
によって構成されることを特徴とする商品販売システム。
【請求項５】
コンテンツデータを格納しているコンテンツサーバ装置と、前記コンテンツデータに関連する商品を販売する商品販売サーバ装置と、着信イベント対応に前記コンテンツデータを記憶する着信イベント対応記憶手段を備え、着信イベントが発生した時に前記着信イベント対応記憶手段から前記着信イベントに対応する前記コンテンツデータを前記着信イベント対応記憶手段から読み出し出力する携帯情報端末と、前記携帯情報端末と前記コンテンツサーバ装置と前記商品販売サーバ装置とを収容するネットワークと、を備えた商品販売システムの商品販売方法において、
前記コンテンツサーバ装置は、前記コンテンツデータごとに前記コンテンツデータに関連する商品を販売する前記商品販売サーバ装置内のウェブページへの参照情報を記憶するコンテンツデータ記憶手段を備えており、
前記携帯情報端末が、ユーザの指示を受けて前記ネットワークを介して前記コンテンツサーバ装置にアクセスする過程と、
前記コンテンツサーバ装置が、前記携帯情報端末からアクセスを受け、要求された前記コンテンツデータと前記参照情報を前記コンテンツデータ記憶手段から読み出して配信する過程と、
前記携帯情報端末が、前記コンテンツサーバ装置から前記コンテンツデータと前記参照情報を取得し前記コンテンツデータと前記参照情報を着信イベント対応に前記着信イベント対応記憶手段に設定する過程と、
前記着信イベントが発生して前記着信イベント対応記憶手段から前記コンテンツデータが読み出して出力され、ユーザが所定の確認操作を終了した後に、前記コンテンツデータに関連する商品を購入するか否かを選択する選択メッセージを画面に出力する過程と、
前記携帯情報端末が、前記ユーザが前記選択メッセージを選択した指示を受けて、前記コンテンツデータに対応する前記参照情報を前記着信イベント対応記憶手段から読み出し、前記参照情報が示す前記商品販売サーバ装置の前記ウェブページに接続する過程と、
前記商品販売サーバ装置が、前記携帯情報端末から前記参照情報を含む要求を受信した際に、前記参照情報に対応する前記ウェブページの情報を応答する過程と、
からなることを特徴とする商品販売方法。
【請求項６】
着信イベントに対応付けてコンテンツデータを記憶する記憶手段と、前記着信イベントが発生した際に前記着信イベントに対応付けられている前記コンテンツデータを前記記憶手段から読み出して出力するコンテンツ出力手段と、を備えた携帯情報端末のコンピュータを、
コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段、
前記コンテンツ取得手段によって取得した前記コンテンツデータと前記参照情報を前記記憶手段に設定するコンテンツ設定手段、
前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段、
前記ユーザが前記選択メッセージを選択した指示を受けて、前記コンテンツデータに対応する前記参照情報を前記記憶手段から読み出し、前記参照情報が示す前記販売サイトへ前記ネットワークを介して接続する接続手段、
として機能させることを特徴とするコンピュータプログラム。
【手続補正２】
【補正対象書類名】明細書
【補正対象項目名】０００５
【補正方法】変更
【補正の内容】
【０００５】
本発明は、電話やメールの着信時において、着信メロディや着信画像が出力されるといった時点において、関連する商品をユーザが購入したくなるという傾向を考慮してなされたものであり、本発明の一実施形態は、着信イベントに対応付けてコンテンツデータを記憶する記憶手段と、前記着信イベントが発生した際に前記着信イベントに対応付けられている前記コンテンツデータを前記記憶手段から読み出して出力するコンテンツ出力手段と、を備えた携帯情報端末において、コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段と、前記コンテンツ取得手段によって取得した前記コンテンツデータと前記参照情報を前記記憶手段に設定するコンテンツ設定手段と、前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段と、前記ユーザが前記選択メッセージを選択した指示を受けて、前記コンテンツデータに対応する前記参照情報を前記記憶手段から読み出し、前記参照情報が示す前記販売サイトへ前記ネットワークを介して接続する接続手段と、を備えたことを特徴とする携帯情報端末である。
【手続補正３】
【補正対象書類名】明細書
【補正対象項目名】０００８
【補正方法】変更
【補正の内容】
【０００８】
本発明の一実施形態は、コンテンツデータを格納しているコンテンツサーバ装置と、前記コンテンツデータに関連する商品を販売する商品販売サーバ装置と、着信イベント対応に前記コンテンツデータを記憶する着信イベント対応記憶手段を備え、着信イベントが発生した時に前記着信イベント対応記憶手段から前記着信イベントに対応する前記コンテンツデータを前記着信イベント対応記憶手段から読み出して出力する携帯情報端末と、前記携帯情報端末と前記コンテンツサーバ装置と前記商品販売サーバ装置とを収容するネットワークと、を備えた商品販売システムにおいて、前記コンテンツサーバ装置は、前記コンテンツデータごとに前記コンテンツデータに関連する商品を販売する前記商品販売サーバ装置内のウェブページへの参照情報を記憶するコンテンツデータ記憶手段と、前記携帯情報端末から前記ネットワークを介してアクセスを受け、要求された前記コンテンツデータ及び前記参照情報を前記コンテンツデータ記憶手段から読み出して配信するコンテンツデータ配信手段と、によって構成され、前記携帯情報端末は、ユーザの指示を受けて前記コンテンツサーバ装置に前記ネットワークを介してアクセスし、前記コンテンツサーバ装置から前記コンテンツデータと前記参照情報を取得するコンテンツ取得手段と、前記コンテンツ取得手段によって取得した前記コンテンツデータと前記参照情報を着信イベント対応に前記着信イベント対応記憶手段に設定するコンテンツ設定手段と、前記着信イベントが発生して前記着信イベント対応記憶手段から前記コンテンツデータが読み出して出力され、ユーザが所定の確認操作を終了した後に、前記コンテンツデータに関連する商品を購入するか否かを選択する選択メッセージを画面に出力するメッセージ出力手段と、前記ユーザが前記選択メッセージを選択した指示を受けて、前記コンテンツデータに対応する前記参照情報を前記着信イベント対応記憶手段から読み出し、前記参照情報が示す前記商品販売サーバ装置のウェブページに接続する接続手段と、によって構成され、前記商品販売サーバ装置は、前記携帯情報端末から前記参照情報を含む要求を受信した際に、前記参照情報に対応する前記ウェブページの情報を応答するウェブページ応答手段によって構成されることを特徴とする商品販売システムである。
【手続補正４】
【補正対象書類名】明細書
【補正対象項目名】０００９
【補正方法】変更
【補正の内容】
【０００９】
本発明の一実施形態は、コンテンツデータを格納しているコンテンツサーバ装置と、前記コンテンツデータに関連する商品を販売する商品販売サーバ装置と、着信イベント対応に前記コンテンツデータを記憶する着信イベント対応記憶手段を備え、着信イベントが発生した時に前記着信イベント対応記憶手段から前記着信イベントに対応する前記コンテンツデータを前記着信イベント対応記憶手段から読み出し出力する携帯情報端末と、前記携帯情報端末と前記コンテンツサーバ装置と前記商品販売サーバ装置とを収容するネットワークと、を備えた商品販売システムの商品販売方法において、前記コンテンツサーバ装置は、前記コンテンツデータごとに前記コンテンツデータに関連する商品を販売する前記商品販売サーバ装置内のウェブページへの参照情報を記憶するコンテンツデータ記憶手段を備えており、前記携帯情報端末が、ユーザの指示を受けて前記ネットワークを介して前記コンテンツサーバ装置にアクセスする過程と、前記コンテンツサーバ装置が、前記携帯情報端末からアクセスを受け、要求された前記コンテンツデータと前記参照情報を前記コンテンツデータ記憶手段から読み出して配信する過程と、前記携帯情報端末が、前記コンテンツサーバ装置から前記コンテンツデータと前記参照情報を取得し前記コンテンツデータと前記参照情報を着信イベント対応に前記着信イベント対応記憶手段に設定する過程と、前記着信イベントが発生して前記着信イベント対応記憶手段から前記コンテンツデータが読み出して出力され、ユーザが所定の確認操作を終了した後に、前記コンテンツデータに関連する商品を購入するか否かを選択する選択メッセージを画面に出力する過程と、前記携帯情報端末が、前記ユーザが前記選択メッセージを選択した指示を受けて、前記コンテンツデータに対応する前記参照情報を前記着信イベント対応記憶手段から読み出し、前記参照情報が示す前記商品販売サーバ装置の前記ウェブページに接続する過程と、前記商品販売サーバ装置が、前記携帯情報端末から前記参照情報を含む要求を受信した際に、前記参照情報に対応する前記ウェブページの情報を応答する過程と、からなることを特徴とする商品販売方法である。
【手続補正５】
【補正対象書類名】明細書
【補正対象項目名】００１０
【補正方法】変更
【補正の内容】
【００１０】
本発明の一実施形態は、着信イベントに対応付けてコンテンツデータを記憶する記憶手段と、前記着信イベントが発生した際に前記着信イベントに対応付けられている前記コンテンツデータを前記記憶手段から読み出して出力するコンテンツ出力手段と、を備えた携帯情報端末のコンピュータを、コンテンツデータを配信するコンテンツサーバ装置にネットワークを介してアクセスし、前記コンテンツデータ及び前記コンテンツデータに関連する商品を販売する販売サイトへの参照情報を取得するコンテンツ取得手段、前記コンテンツ取得手段によって取得した前記コンテンツデータと前記参照情報を前記記憶手段に設定するコンテンツ設定手段、前記コンテンツ出力手段によって前記コンテンツデータが出力され、ユーザが所定の確認操作を終了した後に、前記コンテンツデータに関連する商品を購入するか否かを選択する選択メッセージを画面に出力する選択メッセージ出力手段、前記ユーザが前記選択メッセージを選択した指示を受けて、前記コンテンツデータに対応する前記参照情報を前記記憶手段から読み出し、前記参照情報が示す前記販売サイトへ前記ネットワークを介して接続する接続手段、として機能させることを特徴とするコンピュータプログラムである。
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
各種ボタンを有する携帯電話端末であって、
コンテンツデータと、前記コンテンツデータに関連する商品を購入するためのウェブページへ接続するためのＵＲＬとをイベントに対応付けて記憶する記憶手段と、
着信を検出する第１の検出手段と、
前記着信に応じたイベントを発生するイベント発生手段と、
前記イベント発生手段によって発生されたイベントの種別を判定するイベント判定手段と、
前記第１の検出手段による着信の検出に応じて、前記イベント判定手段によって判定されたイベントの種別が電話着信イベントである場合に、前記電話着信イベントに対応付けられた前記コンテンツデータを前記記憶手段から読み出し、一方、前記イベント判定手段によって判定されたイベントの種別がメール着信イベントである場合に、前記メール着信イベントに対応付けられた前記コンテンツデータを前記記憶手段から読み出す第１の読出手段と、
前記第１の読出手段によって読み出された前記コンテンツデータを出力する出力手段と、
前記イベント判定手段によって判定されたイベントが電話着信イベントである場合に、電話の通話終了を検出する通話終了検出手段と、
前記イベント判定手段によって判定されたイベントがメール着信イベントである場合に、メール着信確認ボタンの押下を検出する確認ボタン押下検出手段と、
前記通話終了検出手段あるいは前記ボタン押下検出手段による検出に応じて、前記出力手段によって出力された前記コンテンツデータに対応する前記ＵＲＬを前記記憶手段から読み出す第２の読出手段と、
前記第２の読出手段によって読み出された前記ＵＲＬに接続するための操作画面を形成して表示する表示手段と、
を備えたことを特徴とする携帯電話端末。
【請求項２】
前記表示手段によって表示された前記操作画面での操作を検出する操作検出手段と、
前記操作検出手段による前記操作画面での操作の検出に応じて前記ＵＲＬに基づいて前記ウェブページへ接続する接続手段と、
を更に備えたことを特徴とする請求項１に記載の携帯電話端末。
【請求項３】
前記コンテンツデータとは着信メロディのデータであり、
前記購入するためのウェブページとは前記着信メロディに関連する楽曲を含んだ音楽媒体を購入するためのウェブページであることを特徴とする請求項１または２に記載の携帯電話端末。
【請求項４】
前記コンテンツデータとは着信動画のデータであり、
前記購入するためのウェブページとは前記着信動画に関連する映画を含んだ映像媒体を購入するためのウェブページであることを特徴とする請求項１から３のいずれか１つに記載の携帯電話端末。
【請求項５】
コンテンツデータを記憶するコンテンツサーバ装置と、前記コンテンツデータに関連する商品を購入するためのウェブページを備えた商品販売サーバ装置と、各種ボタンを有する携帯電話端末と、前記携帯電話端末と前記コンテンツサーバ装置と前記商品販売サーバ装置とを収容するネットワークと、を備えた商品販売システムにおいて、
前記コンテンツサーバ装置は、
前記コンテンツデータに対応付けて、前記コンテンツデータに関連する商品を購入するためのウェブページへのＵＲＬを記憶するコンテンツデータ記憶手段と、
前記携帯電話端末から前記ネットワークを介してアクセスを受けて前記コンテンツデータの配信を要求を受信する要求受信手段と、
前記配信要求手段によって受信された前記要求情報に対応する前記コンテンツデータと、前記コンテンツデータに対応する前記ＵＲＬとを前記コンテンツデータ記憶手段から読み出して前記携帯電話端末に配信するコンテンツデータ配信手段と、によって構成され、
前記携帯電話端末は、
前記コンテンツサーバ装置に前記ネットワークを介してアクセスし、前記配信の要求を送信する要求送信手段と、
前記コンテンツサーバ装置から、前記コンテンツデータと、前記コンテンツデータに対応する前記ＵＲＬとを受信するコンテンツ受信手段と、
前記コンテンツ受信手段によって受信された前記コンテンツデータと、前記ＵＲＬとをイベントに対応付けてイベント対応記憶手段に記録するコンテンツデータ記録手段と、
着信を検出する第１の検出手段と、
前記着信に応じたイベントを発生するイベント発生手段と、
前記イベント発生手段によって発生されたイベントの種別を判定するイベント判定手段と、
前記第１の検出手段による着信の検出に応じて、前記イベント判定手段によって判定されたイベントの種別が電話着信イベントである場合に、前記電話着信イベントに対応付けられた前記コンテンツデータを前記イベント対応記憶手段から読み出し、一方、前記イベント判定手段によって判定されたイベントの種別がメール着信イベントである場合に、前記メール着信イベントに対応付けられた前記コンテンツデータを前記イベント対応記憶手段から読み出す第１の読出手段と、
前記第１の読出手段によって読み出された前記コンテンツデータを出力する出力手段と、
前記イベント判定手段によって判定されたイベントが電話着信イベントである場合に、電話の通話終了を検出する通話終了検出手段と、
前記イベント判定手段によって判定されたイベントがメール着信イベントである場合に、メール着信確認ボタンの押下を検出する確認ボタン押下検出手段と、
前記通話終了検出手段あるいは前記ボタン押下検出手段による検出に応じて、前記出力手段によって出力された前記コンテンツデータに対応する前記ＵＲＬを前記イベント対応記憶手段から読み出す第２の読出手段と、
前記第２の読出手段によって読み出された前記ＵＲＬに接続するための操作画面を形成して表示する表示手段と、によって構成され、
前記商品販売サーバ装置は、
前記携帯電話端末から前記ＵＲＬを含む要求を受信した際に、前記ＵＲＬに対応する前記ウェブページの情報を前記携帯電話端末に送信するウェブページ応答手段
によって構成されることを特徴とする商品販売システム。
【請求項６】
コンテンツデータと、前記コンテンツデータに対応付けて前記コンテンツデータに関連する商品を購入するためのウェブページへのＵＲＬを記憶するコンテンツデータ記憶手段を有するコンテンツサーバ装置と、前記コンテンツデータに関連する商品を購入するためのウェブページを備えた商品販売サーバ装置と、各種ボタンを有する携帯電話端末と、前記携帯電話端末と前記コンテンツサーバ装置と前記商品販売サーバ装置とを収容するネットワークと、を備えた商品販売システムの商品販売方法において、
前記携帯電話端末が、前記コンテンツサーバ装置に前記ネットワークを介してアクセスし、前記コンテンツデータの配信を要求する過程と、
前記コンテンツサーバ装置が、前記携帯電話端末から前記ネットワークを介してアクセスを受けて前記コンテンツデータの配信の要求を受信する過程と、
前記コンテンツサーバ装置が、受信した前記要求情報に対応する前記コンテンツデータと、前記コンテンツデータに対応する前記ＵＲＬとを前記コンテンツデータ記憶手段から読み出して前記携帯電話端末に配信する過程と、
前記携帯電話端末が、前記コンテンツサーバ装置から、前記コンテンツデータと、前記コンテンツデータに対応する前記ＵＲＬとを受信する過程と、
前記携帯電話端末が、受信した前記コンテンツデータと、前記ＵＲＬとをイベントに対応付けてイベント対応記憶手段に記録するコンテンツデータ記録手段と、
前記携帯電話端末が、着信を検出する過程と、
前記携帯電話端末が、前記着信に応じたイベントを発生する過程と、
前記携帯電話端末が、発生したイベントの種別を判定する過程と、
前記携帯電話端末が、前記着信の検出に応じて、判定されたイベントの種別が電話着信イベントである場合に、前記電話着信イベントに対応付けられた前記コンテンツデータを前記イベント対応記憶手段から読み出す過程と、
前記携帯電話端末が、前記イベント判定手段によって判定されたイベントの種別がメール着信イベントである場合に、前記メール着信イベントに対応付けられた前記コンテンツデータを前記イベント対応記憶手段から読み出す過程と、
前記携帯電話端末が、読み出した前記コンテンツデータを出力する過程と、
前記携帯電話端末が、判定されたイベントが電話着信イベントである場合に、電話の通話終了を検出する過程と、
前記携帯電話端末が、判定されたイベントがメール着信イベントである場合に、メール着信確認ボタンの押下を検出する過程と、
前記携帯電話端末が、通話終了あるいはボタン押下の検出に応じて、出力された前記コンテンツデータに対応する前記ＵＲＬを前記イベント対応記憶手段から読み出す過程と、
前記携帯電話端末が、読み出した前記ＵＲＬに接続するための操作画面を形成して表示する過程と、
前記商品販売サーバ装置が、前記携帯電話端末から前記ＵＲＬを含む要求情報を受信した際に、前記ＵＲＬに対応する前記ウェブページの情報を前記携帯電話端末に送信する過程と、
からなることを特徴とする商品販売方法。
【請求項７】
コンテンツデータと、前記コンテンツデータに関連する商品を購入するためのウェブページへ接続するためのＵＲＬとをイベントに対応付けて記憶する記憶手段と、各種ボタンとを備えた携帯電話端末のコンピュータを、
着信を検出する第１の検出手段、
前記着信に応じたイベントを発生するイベント発生手段、
前記イベント発生手段によって発生されたイベントの種別を判定するイベント判定手段、
前記第１の検出手段による着信の検出に応じて、前記イベント判定手段によって判定されたイベントの種別が電話着信イベントである場合に、前記電話着信イベントに対応付けられた前記コンテンツデータを前記記憶手段から読み出し、前記イベント判定手段によって判定されたイベントの種別がメール着信イベントである場合に、前記メール着信イベントに対応付けられた前記コンテンツデータを前記記憶手段から読み出す第１の読出手段、
前記第１の読出手段によって読み出された前記コンテンツデータを出力する出力手段、
前記イベント判定手段によって判定されたイベントが電話着信イベントである場合に、電話の通話終了を検出する通話終了検出手段、
前記イベント判定手段によって判定されたイベントがメール着信イベントである場合に、メール着信確認ボタンの押下を検出する確認ボタン押下検出手段、
前記通話終了検出手段あるいは前記ボタン押下検出手段による検出に応じて、前記出力手段によって出力された前記コンテンツデータに対応する前記ＵＲＬを前記記憶手段から読み出すＵＲＬ読出手段、
前記ＵＲＬ読出手段によって読み出された前記ＵＲＬに接続するための操作画面を形成して表示する表示手段、
として機能させることを特徴とするコンピュータプログラム。
【手続補正３】
【補正対象書類名】明細書
【補正対象項目名】０００１
【補正方法】変更
【補正の内容】
【０００１】
本発明は、オンライン商品購入を行うことができる携帯電話端末、携帯電話端末による
商品販売システム及び商品販売方法並びにコンピュータプログラムに関する。
【手続補正４】
【補正対象書類名】明細書
【補正対象項目名】０００４
【補正方法】変更
【補正の内容】
【０００４】
本発明は、上記課題を解決すべくなされたもので、その目的は、商品をユーザが購入し
たいときに、ユーザがインターネット上で検索することなく商品を販売するサイトへ容易
に接続することを可能とし、ユーザを効果的に販売サイトへ誘導することができる携帯電話端末及び商品販売システムを提供することにある。
【手続補正５】
【補正対象書類名】明細書
【補正対象項目名】０００５
【補正方法】変更
【補正の内容】
【０００５】
本発明は、電話やメールの着信時において、着信メロディや着信画像が出力されるといった時点において、関連する商品をユーザが購入したくなるという傾向を考慮してなされたものであり、本発明の一実施形態は、各種ボタンを有する携帯電話端末であって、コンテンツデータと、前記コンテンツデータに関連する商品を購入するためのウェブページへ接続するためのＵＲＬとをイベントに対応付けて記憶する記憶手段と、着信を検出する第１の検出手段と、前記着信に応じたイベントを発生するイベント発生手段と、前記イベント発生手段によって発生されたイベントの種別を判定するイベント判定手段と、前記第１の検出手段による着信の検出に応じて、前記イベント判定手段によって判定されたイベントの種別が電話着信イベントである場合に、前記電話着信イベントに対応付けられた前記コンテンツデータを前記記憶手段から読み出し、一方、前記イベント判定手段によって判定されたイベントの種別がメール着信イベントである場合に、前記メール着信イベントに対応付けられた前記コンテンツデータを前記記憶手段から読み出す第１の読出手段と、前記第１の読出手段によって読み出された前記コンテンツデータを出力する出力手段と、前記イベント判定手段によって判定されたイベントが電話着信イベントである場合に、電話の通話終了を検出する通話終了検出手段と、前記イベント判定手段によって判定されたイベントがメール着信イベントである場合に、メール着信確認ボタンの押下を検出する確認ボタン押下検出手段と、前記通話終了検出手段あるいは前記ボタン押下検出手段による検出に応じて、前記出力手段によって出力された前記コンテンツデータに対応する前記ＵＲＬを前記記憶手段から読み出す第２の読出手段と、前記第２の読出手段によって読み出された前記ＵＲＬに接続するための操作画面を形成して表示する表示手段と、を備えたことを特徴とする携帯電話端末である。
【手続補正６】
【補正対象書類名】明細書
【補正対象項目名】０００６
【補正方法】変更
【補正の内容】
【０００６】
上記の発明の一実施形態において、前記表示手段によって表示された前記操作画面での操作を検出する操作検出手段と、前記操作検出手段による前記操作画面での操作の検出に応じて前記ＵＲＬに基づいて前記ウェブページへ接続する接続手段と、を更に備えたことを特徴としてもよい。
上記の発明の一実施形態において、前記コンテンツデータとは着信メロディのデータであり、前記購入するためのウェブページとは前記着信メロディに関連する楽曲を含んだ音楽媒体を購入するためのウェブページであるとしてもよい。
【手続補正７】
【補正対象書類名】明細書
【補正対象項目名】０００７
【補正方法】変更
【補正の内容】
【０００７】
上記の発明の一実施形態において、前記コンテンツデータとは着信動画のデータであり、
前記購入するためのウェブページとは前記着信動画に関連する映画を含んだ映像媒体を購入するためのウェブページであるとしてもよい。
【手続補正８】
【補正対象書類名】明細書
【補正対象項目名】０００８
【補正方法】変更
【補正の内容】
【０００８】
本発明の一実施形態は、コンテンツデータを記憶するコンテンツサーバ装置と、前記コンテンツデータに関連する商品を購入するためのウェブページを備えた商品販売サーバ装置と、各種ボタンを有する携帯電話端末と、前記携帯電話端末と前記コンテンツサーバ装置と前記商品販売サーバ装置とを収容するネットワークと、を備えた商品販売システムにおいて、前記コンテンツサーバ装置は、前記コンテンツデータに対応付けて、前記コンテンツデータに関連する商品を購入するためのウェブページへのＵＲＬを記憶するコンテンツデータ記憶手段と、前記携帯電話端末から前記ネットワークを介してアクセスを受けて前記コンテンツデータの配信を要求を受信する要求受信手段と、前記配信要求手段によって受信された前記要求情報に対応する前記コンテンツデータと、前記コンテンツデータに対応する前記ＵＲＬとを前記コンテンツデータ記憶手段から読み出して前記携帯電話端末に配信するコンテンツデータ配信手段と、によって構成され、前記携帯電話端末は、前記コンテンツサーバ装置に前記ネットワークを介してアクセスし、前記配信の要求を送信する要求送信手段と、前記コンテンツサーバ装置から、前記コンテンツデータと、前記コンテンツデータに対応する前記ＵＲＬとを受信するコンテンツ受信手段と、前記コンテンツ受信手段によって受信された前記コンテンツデータと、前記ＵＲＬとをイベントに対応付けてイベント対応記憶手段に記録するコンテンツデータ記録手段と、着信を検出する第１の検出手段と、前記着信に応じたイベントを発生するイベント発生手段と、前記イベント発生手段によって発生されたイベントの種別を判定するイベント判定手段と、前記第１の検出手段による着信の検出に応じて、前記イベント判定手段によって判定されたイベントの種別が電話着信イベントである場合に、前記電話着信イベントに対応付けられた前記コンテンツデータを前記イベント対応記憶手段から読み出し、一方、前記イベント判定手段によって判定されたイベントの種別がメール着信イベントである場合に、前記メール着信イベントに対応付けられた前記コンテンツデータを前記イベント対応記憶手段から読み出す第１の読出手段と、前記第１の読出手段によって読み出された前記コンテンツデータを出力する出力手段と、前記イベント判定手段によって判定されたイベントが電話着信イベントである場合に、電話の通話終了を検出する通話終了検出手段と、前記イベント判定手段によって判定されたイベントがメール着信イベントである場合に、メール着信確認ボタンの押下を検出する確認ボタン押下検出手段と、前記通話終了検出手段あるいは前記ボタン押下検出手段による検出に応じて、前記出力手段によって出力された前記コンテンツデータに対応する前記ＵＲＬを前記イベント対応記憶手段から読み出す第２の読出手段と、前記第２の読出手段によって読み出された前記ＵＲＬに接続するための操作画面を形成して表示する表示手段と、によって構成され、前記商品販売サーバ装置は、前記携帯電話端末から前記ＵＲＬを含む要求を受信した際に、前記ＵＲＬに対応する前記ウェブページの情報を前記携帯電話端末に送信するウェブページ応答手段によって構成されることを特徴とする商品販売システムである。
【手続補正９】
【補正対象書類名】明細書
【補正対象項目名】０００９
【補正方法】変更
【補正の内容】
【０００９】
本発明の一実施形態は、コンテンツデータと、前記コンテンツデータに対応付けて前記コンテンツデータに関連する商品を購入するためのウェブページへのＵＲＬを記憶するコンテンツデータ記憶手段を有するコンテンツサーバ装置と、前記コンテンツデータに関連する商品を購入するためのウェブページを備えた商品販売サーバ装置と、各種ボタンを有する携帯電話端末と、前記携帯電話端末と前記コンテンツサーバ装置と前記商品販売サーバ装置とを収容するネットワークと、を備えた商品販売システムの商品販売方法において、前記携帯電話端末が、前記コンテンツサーバ装置に前記ネットワークを介してアクセスし、前記コンテンツデータの配信を要求する過程と、前記コンテンツサーバ装置が、前記携帯電話端末から前記ネットワークを介してアクセスを受けて前記コンテンツデータの配信の要求を受信する過程と、前記コンテンツサーバ装置が、受信した前記要求情報に対応する前記コンテンツデータと、前記コンテンツデータに対応する前記ＵＲＬとを前記コンテンツデータ記憶手段から読み出して前記携帯電話端末に配信する過程と、前記携帯電話端末が、前記コンテンツサーバ装置から、前記コンテンツデータと、前記コンテンツデータに対応する前記ＵＲＬとを受信する過程と、前記携帯電話端末が、受信した前記コンテンツデータと、前記ＵＲＬとをイベントに対応付けてイベント対応記憶手段に記録するコンテンツデータ記録手段と、前記携帯電話端末が、着信を検出する過程と、前記携帯電話端末が、前記着信に応じたイベントを発生する過程と、前記携帯電話端末が、発生したイベントの種別を判定する過程と、前記携帯電話端末が、前記着信の検出に応じて、判定されたイベントの種別が電話着信イベントである場合に、前記電話着信イベントに対応付けられた前記コンテンツデータを前記イベント対応記憶手段から読み出す過程と、前記携帯電話端末が、前記イベント判定手段によって判定されたイベントの種別がメール着信イベントである場合に、前記メール着信イベントに対応付けられた前記コンテンツデータを前記イベント対応記憶手段から読み出す過程と、前記携帯電話端末が、読み出した前記コンテンツデータを出力する過程と、前記携帯電話端末が、判定されたイベントが電話着信イベントである場合に、電話の通話終了を検出する過程と、前記携帯電話端末が、判定されたイベントがメール着信イベントである場合に、メール着信確認ボタンの押下を検出する過程と、前記携帯電話端末が、通話終了あるいはボタン押下の検出に応じて、出力された前記コンテンツデータに対応する前記ＵＲＬを前記イベント対応記憶手段から読み出す過程と、前記携帯電話端末が、読み出した前記ＵＲＬに接続するための操作画面を形成して表示する過程と、前記商品販売サーバ装置が、前記携帯電話端末から前記ＵＲＬを含む要求情報を受信した際に、前記ＵＲＬに対応する前記ウェブページの情報を前記携帯電話端末に送信する過程と、からなることを特徴とする商品販売方法である。
【手続補正１０】
【補正対象書類名】明細書
【補正対象項目名】００１０
【補正方法】変更
【補正の内容】
【００１０】
本発明の一実施形態は、コンテンツデータと、前記コンテンツデータに関連する商品を購入するためのウェブページへ接続するためのＵＲＬとをイベントに対応付けて記憶する記憶手段と、各種ボタンとを備えた携帯電話端末のコンピュータを、着信を検出する第１の検出手段、前記着信に応じたイベントを発生するイベント発生手段、前記イベント発生手段によって発生されたイベントの種別を判定するイベント判定手段、前記第１の検出手段による着信の検出に応じて、前記イベント判定手段によって判定されたイベントの種別が電話着信イベントである場合に、前記電話着信イベントに対応付けられた前記コンテンツデータを前記記憶手段から読み出し、一方、前記イベント判定手段によって判定されたイベントの種別がメール着信イベントである場合に、前記メール着信イベントに対応付けられた前記コンテンツデータを前記記憶手段から読み出す第１の読出手段、前記第１の読出手段によって読み出された前記コンテンツデータを出力する出力手段、前記イベント判定手段によって判定されたイベントが電話着信イベントである場合に、電話の通話終了を検出する通話終了検出手段、前記イベント判定手段によって判定されたイベントがメール着信イベントである場合に、メール着信確認ボタンの押下を検出する確認ボタン押下検出手段、前記通話終了検出手段あるいは前記ボタン押下検出手段による検出に応じて、前記出力手段によって出力された前記コンテンツデータに対応する前記ＵＲＬを前記記憶手段から読み出すＵＲＬ読出手段、前記ＵＲＬ読出手段によって読み出された前記ＵＲＬに接続するための操作画面を形成して表示する表示手段、として機能させることを特徴とするコンピュータプログラムである。
【手続補正１１】
【補正対象書類名】明細書
【補正対象項目名】００１１
【補正方法】変更
【補正の内容】
【００１１】
この発明によれば、携帯電話端末及び商品販売システムは、ユーザが当該商品を購入し
たいときに、ユーザがインターネット上で検索することなく商品を販売するサイトへ容易
に接続することを可能とし、ユーザを効果的に販売サイトへ誘導することができる効果を
奏する。